(57)【要約】      （修正有）【課題】引き出しが振動で滑り出し難く、閉める時にも、少し大きい音でユーザ及び周りの人に影響し難くなり、また、シリンダーの空気容量を向上、クッション力を大きくできる引き出し用緩衝器及び引き出し用緩衝器付きスライドレールを提供する。【解決手段】シリンダーのピストン棒が２セグメント以上に分け、ピストン棒の各セグメントの末端にピストンリングを設けてあり、隣り合うピストン棒の２セグメントが互いにセットして一体に接続され、シリンダーライナーの末端と前端に凸柱を設けてあるピストン棒の一番目セグメントのヘッドが、中部ピストン棒の各セグメントから貫通する内蔵バネによって繋がり合う。引き出し用緩衝器付きスライドレールは、外スライドプレート、中間スライドプレート、内スライドプレート及び引き出し用緩衝器から構成し、引き出し用緩衝器が外スライドプレートの外側に固定される。【選択図】図１０
0003131073.tif 000002
【実用新案登録請求の範囲】
【請求項１】
引き出し用緩衝器は、前端の凸物にガイドバーを設けてあるスタンド、シリンダー、及び止めプレートを含み、その真中にシリンダーがスタンド内に固定され、そのピストン棒の前端に凸柱1本を設けており、ガイドバーの中にはシリンダーのピストン棒移動用スライド溝を、ガイドバーの外側面には凸柱と配合する方向ガイド溝を形成し、方向ガイド溝の前端には位置固定溝が接合されており、止めプレートには引っ張る用及び凸柱を位置固定溝に押入れる用ガイド溝を形成し、その特徴としては、上記シリンダーのピストン棒が２セグメント以上に分けて、ピストン棒の各セグメントの末端にピストンリングを設け、隣り合うピストン棒の２セグメントが互いに一体にセットして接続され、シリンダーライナーの末端と、前端に凸柱を設けてあるピストン棒の一番目セグメントのヘッドとがピストン棒の中間の各セグメントから貫通する内蔵バネによって接続されている、ことを特徴とする引き出し用緩衝器
【請求項２】
上記シリンダーが、そのシリンダーライナー形状もピストン棒の各セグメントの断面形状も楕円形にしている、ことを特徴とする請求項１に記載の引き出し用緩衝器
【請求項３】
上記ピストン棒の各セグメントの末端にあるピストンリングの材質がプラスチックとし、その真中に全てバネ通過用穴を開けてある、ことを特徴とする請求項２に記載の引き出し用緩衝器。
【請求項４】
上記ピストン棒の各セグメントの外端面にリミット溝を作ってあり、シリンダーライナー及び中部のピストン棒の各セグメントの前端には、直前ピストン棒のセグメントにおけるリミット溝と配合するリミット用凸点を設けてある、ことを特徴とする請求項３に記載の引き出し用緩衝器。
【請求項５】
上記凸柱が動きブロックに固定され、その下端にバネを設けてあり、動きブロックがシリンダーに固定されたピストン棒の一番目セグメントの前端ベースとヒンジしている、ことを特徴とする請求項４に記載の引き出し用緩衝器。
【請求項６】
上記ガイドバー外側面における方向ガイド溝末端の近接箇所に端部が曲がれる避け用ストリップ一本を設けてある、ことを特徴とする請求項５に記載の引き出し用緩衝器。
【請求項７】
上記シリンダーライナーの末端の凸物にシリンダーライナー内と通じ合うエアガイド柱を設けてあり、当該エアガイド柱の中にゴムパッドを設けてあり、後端にエア入量コントロール用の調節ねじを締めてある、ことを特徴とする請求項１ないし６のいずれかの項に記載の引き出し用緩衝器。
【請求項８】
上記スタンドにスタンド方位調整用チューニングブロックを設けてあり、上記チューニングブロックの左右両側にねじ穴を作ってあり、その内端面にはガイド柱が成型されてあり、これに応じて、スタンドにはガイド柱と配合するガイド穴を作ってあり、ガイド穴の寸法がガイド柱の寸法を超えている、ことを特徴とする請求項７に記載の引き出し用緩衝器。
【請求項９】
引き出し用緩衝器付きスライドレールは、外スライドプレート、中間スライドプレート、内スライドプレート及び緩衝器から構成し、緩衝器は外スライドプレートの外後端に固定され、それが前端凸物にガイドバーを設けてあるスタンド、シリンダー、及び止めプレートを含め、その中にシリンダーがスタンド内に固定され、そのピストン棒の前端に凸柱1本を設けてあり、ガイドバー中部にシリンダーのピストン棒移動用のスライド溝を作ってあり、ガイドバーの外側面に凸柱と配合する方向ガイド溝を作ってあり、ガイド溝の前端に位置固定溝１本と接続されており、止めプレートは内スライドプレートと繋がり合い、引っ張る為、凸柱を位置固定溝中へ押入れる為のガイド溝を形成し、その特徴としては、上記シリンダーのピストン棒が２セグメント以上に分けて、ピストン棒の各セグメントの末端にピストンリングを設けてあり、隣り合うピストン棒の２セグメントが互いに一体にセットして接続され、シリンダーライナーの末端と、前端に凸柱を設けてあるピストン棒の一番目セグメントのヘッドとがピストン棒の中間の各セグメントから貫通する内蔵バネによって接続されている、ことを特徴とする引き出し用緩衝器付きスライドレール。
【請求項１０】
上記緩衝器のスタンドが「L」形をしており、スタンドの後端に外スライドプレートを挟んで持つ為の挟持部を設けている、ことを特徴とする請求項９に記載の引き出し用緩衝器付きスライドレール。
【考案の詳細な説明】
【技術分野】
【０００１】
本考案は、引き出し用緩衝器及び引き出し用緩衝器付きスライドレールに関する。
【背景技術】
【０００２】
引き出しは家具に付ける一般ユニットであり、それはスライドレールによって家具に付ける引き出しのキャビティ内に取り付ける。一般の引き出しは振動で外へ滑り出易く、引き出し内の品物を落し易い。また、引き出しを閉めると、少し大きい音が出易いのでユーザ及び周り人の気持ちに影響する。
【０００３】
この問題を解決する為に、各種タイプの引き出し用緩衝器が業界の従業員において開発されている。その中に或る種類の引き出し用緩衝器は、前端の凸物にガイドバーを設けてあるスタンド、シリンダー及び止めプレートからなり、シリンダーがスタンド内に固定され、スタンドがねじで引き出しの外壁に固定され、引き出しを開けたり閉めたりするに従って移動させ、止めプレートが引き出しキャビティの内壁に取り付け、引き出しが振動されるとシリンダーの減衰作用の為に引き出しが完全に滑り出るにくい。同様に、引き出しを閉めると、引き出しもシリンダーの減衰作用の為に急に引き出しキャビティの後壁に衝撃しても大きな音が出る可能性がない。引き出し用緩衝器はユーザが自分でそれを引き出し内に組み立てもよいし、ユーザが組み立て使い易いように、製造工場が予めそれを引き出しのスライドレールに固定して引き出しのスライドレールと一緒にユーザに売ってもよい。
【０００４】
今現在の市場から見える引き出し用緩衝器及び引き出し用緩衝器付きスライドレールから見ると、その緩衝器に使うシリンダーは全てシリンダーライナー１本とピストン棒１本で構成し、実際の使用中に、ピストン棒のストローク（60mmを超えない）に限られた為に、製品は実用性上で少し行届かない所があることを及ぼしてきた。またこれらのシリンダーのライナーとピストン棒の断面形状が全て円形で、空気容量が小さすぎ、クッション力が不足している。
【考案の開示】
【考案が解決しようとする課題】
【０００５】
本考案の目的は、上記従来技術の不足に対してより長いクッションストロークとクッション力を有している引き出し用緩衝器及び引き出し用緩衝器付きスライドレールを提供することにある。
【課題を解決するための手段】
【０００６】
上述の目的を実現する為に、本考案の引き出し用緩衝器は、前端の凸物にガイドバーを設けてあるスタンド、シリンダー、及び止めプレートを含めてあり、その真中にシリンダーがスタンド内に固定され、そのピストン棒の前端に凸柱1本を設けてある。ガイドバーの中にはシリンダーのピストン棒移動用スライド溝を、ガイドバーの外側面には凸柱と配合する方向ガイド溝を作ってあり、方向ガイド溝の前端には位置固定溝と接続している。止めプレートには引っ張る用及び凸柱を位置固定溝に押入れる用ガイド溝を作ってある。
上記シリンダーのピストン棒が２セグメント以上に分けて、ピストン棒の各セグメントの末端にピストンリングを設けてあり、隣り合うピストン棒の２セグメントが互いに一体にセットして接続され、シリンダーライナーの末端と、前端に凸柱を設けてあるピストン棒の一番目セグメントのヘッドとがピストン棒の中間の各セグメントから貫通する内蔵バネによって接続している。
【０００７】
上述の技術案の改善策として、上記シリンダーが、そのシリンダーライナーもピストン棒の各セグメントの断面形状も楕円形としている。
上述の技術案の一層の改善策として、上記ピストン棒の各セグメントの末端にあるピストンリングの材質がプラスチックとし、その真中に全てバネ通し用穴を開けてある。
上記ピストン棒の各セグメントの外端面にリミット溝を作ってあり、シリンダーライナー及び中部のピストン棒の各セグメントの前端に直前ピストン棒のセグメントにおけるリミット溝と配合するリミット用凸点を設けてある。
上記凸柱が動きブロックに固定され、その下端にバネを設けてあり、動きブロックがシリンダーに固定されたピストン棒の一番目セグメントの前端ベースと連絡している。
上記引き出し用緩衝器の特徴は、ガイドバー外側面における方向ガイド溝末端の近接箇所に端部が曲がれる避け用ストリップ一本を設けてある。
上記シリンダーライナーの末端の凸物にシリンダーライナー内と通じ合うエアガイド柱を設けてあり、当該エアガイド柱の中にゴムパッドを設けてあり、後端にエア入量コントロール用の調節ねじを締めてある。
上記スタンドにスタンド方位調整用チューニングブロックを設けてあり、記述されるチューニングブロックの左右両側にねじ穴を作ってあり、その内端面にガイド柱が成型されてあり、これに応じて、スタンドにガイド柱と配合するガイド穴を作ってあり、ガイド穴の寸法がガイド柱の寸法を超えている。
本考案における引き出し用の緩衝器付きスライドレールは外スライドプレート、中間スライドプレート、内スライドプレート及び引き出し用緩衝器からなる。その中にスライドプレートの上下両側にボールトラックを設けてあり、引き出し用緩衝器が外スライドプレートの外側に固定され、それは、前端の凸物にガイドバーを設けてあるスタンド、シリンダー及び止めプレートを含めている。その中にシリンダーがスタンド内に固定され、そのピストン棒の前端に凸柱1本を設けてある。ガイドバーの中にはシリンダーのピストン棒移動用スライド溝を、ガイドバーの外側面には凸柱と配合する方向ガイド溝を作ってあり、方向ガイド溝の前端に位置固定溝と接続している。止めプレートと内スライドプレートとが互いに接続してあり、止めプレートには引っ張る用及び凸柱を位置固定溝に押入れる用ガイド溝を作ってある。上記シリンダーのピストン棒が２セグメント以上に分けて、ピストン棒の各セグメントの末端にピストンリングを設けてあり、隣り合うピストン棒の２セグメントが互いに一体にセットして接続され、シリンダーライナーの末端と、前端に凸柱を設けてあるピストン棒の一番目セグメントのヘッドとがピストン棒の中間の各セグメントから通じる内蔵バネによって接続している。
上記緩衝器のスタンドが「L」形をしており、スタンドの後端に外スライドプレートを挟んで持つ為の挟持部を設けている。
【考案の効果】
【０００８】
本考案の効果は、シリンダーのピストン棒が２セグメント以上である為に、大幅に引き出しのクッションストローク（最小60mm）を長くして、引き出しを振動で滑り出させにくく、引き出しを閉める時にも、少し大きな音でユーザと周りの人に影響を及ぼしにくい。
また、本考案のシリンダー及びシリンダーライナーとピストン棒の断面形状が楕円形としている為に、シリンダーの空気容量を向上させ、クッション力を大きくできる。
【考案を実施するための最良の形態】
【０００９】
次の記述は、本考案に適用する少し良い実施実例だけで、これにより本考案の保護される範囲に限られるわけではない。
まず、図１〜図4及び図9を参照されたい。
本考案の引き出し用緩衝器は、前端の凸物にガイドバー10を設けてあるスタンド100、シリンダー20及び止めプレート30（止めプレート30がガイドバー10格納用のスライドライナー200一本の前端に取り付けてもよい）を含める。シリンダー20はスタンド100内に固定され、そのピストン棒が２セグメント（勿論、２セグメント以上に分けてもよい）に分けて、一番目ピストン棒のセグメント21と二番目ピストン棒のセグメント22との末端にそれぞれ中部に穴を開けているピストンリング211、221を設けてある。
【００１０】
シリンダーのシール性を向上させ、クッション力を増やさせるように、ピストンリング211と221の材質はプラスチックを採用すること。ピストン棒21と22が互いにセットされて一体に接続されている。シリンダー20のシリンダーライナー23の末端とピストン棒の一番目セグメント21のヘッドとが中部ピストン棒の各セグメントを貫通する内蔵バネ24によって接続する。また、シリンダー20のシリンダーライナー23とピストン棒の２セグメント21と22の断面形状が楕円形で、こうするとシリンダーの空気容量を向上、クッション力を増やすことができるようになる。
【００１１】
ガイドバー10の中部にシリンダー20のピストン棒を移動させるスライド溝を作ってあり、ガイドバー10の外側面に方向ガイド溝11を作ってあり、方向ガイド溝11の前端が位置固定溝１本12と接続している。止めプレート30にはガイド溝31を作ってある。
【００１２】
ピストン棒の一番目セグメント21の前端には凸柱一本25を設けてある。当該凸柱25が動きブロック26に固定され、その下端にバネ27を設けてあり、凸柱25が伸縮できるようにする。緩衝器を引き出しに取り付けてから、止めプレート30とガイドバー10との間の隙間がちょっと大きくても、凸柱25も止めプレート30に付けるガイド溝31内に入れることができる。動きブロック26とピストン棒の一番目セグメント21の前端のベース213とヒンジして、動きブロック26と凸柱25と共に回すことができるように、凸柱25が位置固定溝13またはガイド溝31内までに引っ掛られるようにする。
【００１３】
ピストン棒21、22の外端面には、リミット溝212、222を作ってあり、シリンダーライナー23及びピストン棒22の前端には、直前ピストン棒のセグメントに付けるリミット溝と配合するリミット凸点231、223を設けてあり、ピストン棒21、22が最大ストロークに達してから、リミット凸点231、223がピストン棒21、22が続いて移動するのでシリンダーから外れることを制限できる。
【００１４】
ガイドバー10の外側面の方向ガイド溝11の末端の近接には、一端が曲がる可能な避け用ストリップ13を設けてあり、凸柱25がガイド溝31内に滑り入りやすいようにする。
【００１５】
図9を参照されたい。
シリンダーライナー23の末端の凸物には、シリンダーライナー内と通じ合うエアガイド柱28を設けてあり、当該エアガイド柱28内がゴムパッド291を設けてあり、後に吸気量コントロール用の調整ねじ一本29を設けてある。ユーザはねじを締めたり緩めたりする動作によってシリンダー内へ入る空気量をコントロールして、従ってピストン棒21と22の運動スピードを調整できるようになる。
【００１６】
それから、図5と図6を参照されたい。
スタンド100には、また座体100方位調整用のチューニングブロック40（当該チューニングブロック40は緩衝器を単独に使用する場合に適合し、緩衝器と引き出しのスライドレールと一体に繋がって使うと、チューニングブロック40が要らない）を設けてもよい。チューニングブロック40の左右両側にはねじ穴41を作ってあり、その内端面には、ガイド柱42三本として成型してある。対応として、スタンド100には、ガイド柱42と配合するガイド穴101を作ってあり、ガイド穴101の寸法がガイド柱42の寸法を超え、ガイド柱42がガイド穴101内を移動できる。緩衝器を取り付ける時に、先にねじでガイド柱42に付けるねじ穴を貫通して、全体スタンド100を引き出し外壁に取り付けてから、スタンド100とチューニングブロック40の位置を調整して、その方位を徹底に正しくした後でその他のねじを締めてスタンド100を固定させ、位置合わせミスによる取り付け誤差を避けるようにする。
【００１７】
図9と図10が示すのは、引き出し用緩衝器付きスライドレールであり、それが外スライドプレート51、中間スライドプレート52、内スライドプレート53及び緩衝器から構成し、その中に、中間スライドプレート52の上下両側にボールトラック54を設けてある。緩衝器（添付図面7をご参照）の内部構成は、前述したものと同じ、但しそのスタンド100が「L」形をしており、スタンド100後端に外スライドプレート51後端を挟んで持つ為の挟持部110があり、止めプレート30がスライドプレート52と繋がり合う（両者は一体に成型してもよい）。このような緩衝器付きの引き出しスライドレールはユーザにより便利に取付・使用してもらう。
【００１８】
本考案は、使用前に緩衝器を引き出しの外壁に取り付け、スライドレールを机の引き出しキャビティ内に取り付ける。その動作原理は下記に記述する。先ず添付図面を参照されたい。その時に、引き出しを閉める時の状態で、閉める前に、緩衝器のスタンド100とガイドバー10とは引き出しが引き出しキャビティ内へ移動すると共に移動して、凸柱25が止めプレート30の前端のガイド溝31位置に達する時に、凸柱25が方向ガイド溝12の末端の避け用ストリップ13を突き破って止めプレート30のガイド溝31入口のガイド斜面に沿って上へ滑り、凸柱25がガイド斜面のトップを越えてから、下へガイド溝12の凹口内に落ちると共に、避け用ストリップ13がリセットになる。引き出しがロックされると、振動で外へ滑り出にくい。添付図面を参照されたい。
【００１９】
この状態は、引き出しを引き開けた後の状態である。引き出しを引き開ける過程において、スタンド100とガイドバー10とは引き出しと共に外へ移動し、凸柱25が方向ガイド溝11の前端の位置固定溝12に達した時に、２セグメントのピストンバー21と22が極限位置まで引っ張っている。この時、バネ24の抵抗が大きくした為に、続いて引き出しを引っ張ると、凸柱25がガイド溝31内の斜面に従って上へ滑る。凸柱25がガイド溝31の入口と同じ高さに上がると、ガイドバー10に付ける位置固定溝12内に滑り入り、止めプレート30が凸柱25とガイドバー10に対する制限がアンロックされ、引き出しが直ぐスムーズに引き開ける。実用可能な本新型製品の緩衝器のシリンダーのピストン棒を２セグメント以上に分けている為に、引き出しにもっと大きなクッションストロークを獲得させる。
【００２０】
本考案の緩衝器と引き出しスライドレールを別々に使ってもよい。その使用前に、スタンド100を引き出しの外壁に取り付け、止めプレート30及びスライドライナー200を引き出しキャビティの内壁に取り付けること。その動作原理は前述と一緒であり、ここでは更に記述しない。
【図面の簡単な説明】
【００２１】
【図１】本考案の引き出し用緩衝器の構成略図である。
【図２】本考案の引き出し用緩衝器に使うシリンダーの構成略図である。
【図３】図2のA-A向きの局部断面拡大図である。
【図４】図2のB-B向きの断面拡大図である。
【図５】引き出し用緩衝器スタンドとチューニングブロック（後蓋を除く）の分解図である。
【図６】引き出し用緩衝器スタンドとチューニングブロック（後蓋を除く）の組立図である。
【図７】引き出しのスライドレールとセットして使用する緩衝器の構成略図である。
【図８】引き出し用緩衝器付きスライドレールの使用状態図の一である。
【図９】図8のC-C向きの断面図である。
【図１０】引き出し用緩衝器付きスライドレールの使用状態図の二である。
【符号の説明】
【００２２】
１０      ガイドバー
１１      ガイド溝
１２      位置固定溝
１３      位置固定溝  ストリップ
２０      シリンダー
２１      ピストン棒
２２      ピストン棒
２３      シリンダーライナー
２４      内蔵バネ
２５      凸柱
２６      ブロック
２７      バネ
２８      エアガイド柱
２９      調整ねじ
３０      止めプレート
３１      ガイド溝
４０      チューニングブロック
４１      ねじ穴
４２      ガイド柱
５１      外スライドプレート
５２      中間スライドプレート
５３      内スライドプレート
５４      ボールトラック
１００    スタンド
１０１    ガイド穴
１１０    挟持部
２００    スライドライナー
２１１    ピストンリング
２１２    リミット溝
２１３    ベース
２２１    ピストンリング
２２２    リミット溝
２２３    リミット凸点
２３１    リミット凸点
２９１    ゴムパッド
【図１】
0003131073.tif 000003
【図２】
0003131073.tif 000004
【図３】
0003131073.tif 000005
【図４】
0003131073.tif 000006
【図５】
0003131073.tif 000007
【図６】
0003131073.tif 000008
【図７】
0003131073.tif 000009
【図８】
0003131073.tif 000010
【図９】
0003131073.tif 000011
【図１０】
0003131073.tif 000012